(57)【要約】【課題】接着剤の硬化を阻害せずに、効率的に接着剤の塗布を実行可能な接着剤塗布装置を提供する。【解決手段】本発明の接着剤塗布装置は、載置台１０と接着剤供給部２０と紫外線照射部３０とを有し、パネル１００の面に紫外線遅延硬化型の接着剤２００を塗布する。載置台１０は、パネル１００が載置面Ｓ１０に載せられる。接着剤供給部２０は、接着剤２００を接着剤供給口Ｈ２０から吐出することによって、載置台１０に載せられたパネル１００の面に接着剤２００を塗布する。紫外線照射部３０は、接着剤供給口Ｈ２０から吐出された接着剤２００に紫外線Ｌを照射する。ここで、紫外線照射部３０は、接着剤供給口Ｈ２０から吐出された接着剤２００がパネル１００の面に塗布される前に、載置面Ｓ１０に沿って紫外線Ｌを接着剤２００に照射する。【選択図】図３
2020081907.tif 000002
【特許請求の範囲】
【請求項１】
被着体の面に紫外線遅延硬化型の接着剤を塗布する接着剤塗布装置であって、
前記被着体が載置面に載せられる載置台と、
前記接着剤を接着剤供給口から吐出することによって、前記載置台に載せられた前記被着体の面に前記接着剤を塗布する接着剤供給部と、
前記接着剤供給口から吐出された前記接着剤に紫外線を照射する紫外線照射部と
を有し、
前記紫外線照射部は、前記接着剤供給口から吐出された前記接着剤が前記被着体の面に塗布される前に、前記載置面に沿って紫外線を前記接着剤に照射する、
接着剤塗布装置。
【請求項２】
前記紫外線照射部は、
紫外線光源と、
前記紫外線光源で生じた紫外線を伝送する紫外線伝送部と
を含み、
前記紫外線伝送部によって伝送された紫外線が前記載置面に沿って前記接着剤に照射される、
請求項１に記載の接着剤塗布装置。
【請求項３】
前記紫外線伝送部は、
第１の紫外線伝送路と、
前記紫外線光源で生じた紫外線が前記第１の紫外線伝送路を介して伝送される第２の紫外線伝送路と
を含み、
前記第２の紫外線伝送路は、前記第１の紫外線伝送路よりも屈折率の値が前記接着剤に近い、
請求項２に記載の接着剤塗布装置。
【請求項４】
前記紫外線伝送部において前記載置面に対して直交する面に紫外線遮蔽板が設けられている、
請求項２または３に記載の接着剤塗布装置。
【請求項５】
前記接着剤供給部の内面において紫外線を吸収する紫外線吸収層
を有する、
請求項１から４のいずれかに記載の接着剤塗布装置。
【請求項６】
前記接着剤供給部に前記接着剤を送る接着剤配管
を有し、
前記接着剤配管は、前記載置面に沿って延在する部分を含む、
請求項１から５のいずれかに記載の接着剤塗布装置。
【発明の詳細な説明】
【技術分野】
【０００１】
本発明は、接着剤塗布装置に関する。
【背景技術】
【０００２】
近年、液晶表示パネルなどのフラットパネルディスプレイは、コンピュータやテレビなどの機器の他に、さまざまな機器に用いられている。たとえば、スマートフォンやタブレット型パーソナルコンピュータなどの携帯端末、および、自動車などの輸送機器に設置されるナビゲーションシステムやメータに、フラットパネルディスプレイが用いられている。
【０００３】
フラットパネルディスプレイは、たとえば、液晶表示パネルに、偏光パネル、タッチセンサパネル、保護パネル（前面板）などの他のパネルが接着剤を用いて貼り合わされている。接着剤は、光学的に透明な樹脂であって、たとえば、アクリル樹脂、ウレタン樹脂、シリコーン樹脂である。特に、シリコーン樹脂の接着剤は、優れた耐久性を有しているので、自動車などの輸送機器のように厳しい環境で使用される機器において好適に用いられる。
【０００４】
接着剤としては、テープ型、加熱硬化型、紫外線硬化型などが一般的に利用されている。これらのうち、紫外線硬化型の接着剤は、速く硬化するため、生産性の観点から好適に用いることができる。ここでは、通常、紫外線硬化型の接着剤が一対の被着体（たとえば、液晶表示パネルと偏光パネル）の間に介在するように一対の被着体を貼り合わせた状態で、紫外線の照射が行われる。このため、たとえば、被着体が紫外線を遮蔽して、紫外線が紫外線硬化型の接着剤に照射されない部分が発生した場合には、その未照射部分が硬化されないため、貼り合わせが不十分になる場合がある。
【０００５】
上記の課題を解決するために、紫外線遅延硬化型の接着剤を用いることが検討されている。この場合には、たとえば、一方の被着体（たとえば、偏光パネル）に紫外線遅延硬化型の接着剤を塗布した後に、その接着剤に紫外線を照射する。その後、その紫外線が照射された接着剤を介して、一方の被着体に他方の被着体（たとえば、液晶表示パネル）を貼り合わせる。そして、紫外線遅延硬化型の接着剤は、貼り合わせ後に硬化が進行し、全体が硬化する。
【０００６】
しかしながら、紫外線が被着体に照射されたときに、その被着体において変質が生ずる場合がある。そして、その変質によって、接着剤の硬化を阻害する物質が生成される場合がある。たとえば、紫外線でヒドロシリル化反応活性を発現する白金触媒（ビス（アセチルアセトナート）白金（ＩＩ）など）を紫外線遅延硬化型の接着剤が含む場合において、偏光パネルに紫外線が照射されたときには、触媒毒となる物質が偏光パネルに生成される場合があるので、接着剤の硬化が阻害される可能性がある。
【０００７】
また、吐出部分の内部において接着剤に紫外線を照射し、その紫外線が照射された接着剤を被着体に吐出する場合には、その吐出部分の内部において接着剤の硬化が生じる場合がある。その結果、接着剤を均一に塗布することが困難であって、効率的に塗布を行うことが容易でない場合がある。
【先行技術文献】
【特許文献】
【０００８】
【特許文献１】特開２００６−２６３５９２号公報
【特許文献２】特開２０１６−０２８８０１号公報
【特許文献３】特開２０１２−７１２８１号公報
【発明の概要】
【発明が解決しようとする課題】
【０００９】
上記のように、被着体（フラットパネルディスプレイを構成するパネルなど）の面に紫外線遅延硬化型の接着剤を塗布する際には、接着剤の硬化を阻害せずに、効率的に接着剤の塗布を行うことが容易でない場合がある。
【００１０】
したがって、本発明が解決しようとする課題は、接着剤の硬化を阻害せずに、効率的に接着剤の塗布を実行可能な接着剤塗布装置を提供することを目的とする。
【課題を解決するための手段】
【００１１】
本発明の接着剤塗布装置は、載置台と接着剤供給部と紫外線照射部とを有し、パネルの面に紫外線遅延硬化型の接着剤を塗布する。載置台は、パネルが載置面に載せられる。接着剤供給部は、接着剤を接着剤供給口から吐出することによって、載置台に載せられたパネルの面に接着剤を塗布する。紫外線照射部は、接着剤供給口から吐出された接着剤に紫外線を照射する。ここで、紫外線照射部は、接着剤供給口から吐出された接着剤がパネルの面に塗布される前に、載置面に沿って紫外線を接着剤に照射する。
【発明の効果】
【００１２】
本発明によれば、接着剤の硬化を阻害せずに、効率的に接着剤の塗布を実行可能な接着剤塗布装置を提供することができる。
【図面の簡単な説明】
【００１３】
【図１】図１は、第１実施形態に係る接着剤塗布装置の構成の要部を模式的に示す図である。
【図２】図２は、第１実施形態に係る接着剤塗布装置の構成の要部を模式的に示す図である。
【図３】図３は、第１実施形態に係る接着剤塗布装置の構成の要部を模式的に示す図である。
【図４】図４は、第１実施形態に係る接着剤塗布装置の使用方法を説明するために用いる図である。
【図５】図５は、第１実施形態に係る接着剤塗布装置の使用方法を説明するために用いる図である。
【図６】図６は、第２実施形態に係る接着剤塗布装置の構成の要部を模式的に示す図である。
【図７】図７は、第３実施形態に係る接着剤塗布装置の構成の要部を模式的に示す図である。
【図８】図８は、第４実施形態に係る接着剤塗布装置の構成の要部を模式的に示す図である。
【図９】図９は、第５実施形態に係る接着剤塗布装置の構成の要部を模式的に示す図である。
【発明を実施するための形態】
【００１４】
以下より、発明の実施形態について図面を用いて説明する。なお、発明は、図面の内容に限定されない。また、図面は、概略を示すものであって、各部の寸法比などは、現実のものとは必ずしも一致しない。その他、各実施形態は、一例であって、適宜、省略、置き換え、変更等が可能である。
【００１５】
＜第１実施形態＞
［Ａ］接着剤塗布装置の構成
第１実施形態に係る接着剤塗布装置の構成に関して、図１、図２、および、図３を用いて説明する。
【００１６】
ここでは、図１は、鉛直面（ｘｚ面）に沿った断面を示しており、縦方向が鉛直方向ｚであり、横方向が第１水平方向ｘであり、紙面に直交する方向が第２水平方向ｙである。図２は、水平面（ｘｙ面）に沿った上面を示しており、縦方向が第２水平方向ｙであり、横方向が第１水平方向ｘであり、紙面に直交する方向が鉛直方向ｚである。図３は、図１に示す領域Ａを拡大して示している。
【００１７】
本実施形態の接着剤塗布装置は、図１および図２に示すように、載置台１０と接着剤供給部２０と紫外線照射部３０とを有し、被着体であるパネル１００の面に紫外線遅延硬化型の接着剤２００を塗布するように構成されている。本実施形態の接着剤塗布装置を構成する各部について順次説明する。
【００１８】
［Ａ−１］載置台１０
載置台１０は、図１および図２に示すように、パネル１００が載せられる載置面Ｓ１０を有する。本実施形態では、載置面Ｓ１０は、水平面（ｘｙ面）に沿った矩形形状の面であって、矩形形状の板状体であるパネル１００が載せられる。たとえば、偏光パネルがパネル１００として載置面Ｓ１０に載せられる。
【００１９】
［Ａ−２］接着剤供給部２０
接着剤供給部２０は、図１および図２に示すように、接着剤２００を接着剤供給口Ｈ２０から吐出することによって、載置台１０に載せられたパネル１００の面に接着剤２００を塗布するように構成されている。ここでは、接着剤供給部２０は、たとえば、ディスペンサまたはダイコータを構成しており、ポンプ（図示省略）によって接着剤タンク（図示省略）から接着剤配管２１を介して送られた接着剤２００を接着剤供給口Ｈ２０から吐出する。たとえば、シリコーン系の紫外線遅延硬化型接着剤（モメンティブパフォーマンスマテリアルズ社製：ＳＩＬＯＰＲＥＮ  ＵＶ  ＧＥＬ  １００  （Ａ）（Ｂ）混合液など）が接着剤２００として吐出される。
【００２０】
本実施形態では、接着剤供給部２０は、接着剤供給口Ｈ２０が第２水平方向ｙへライン状に延在している。また、接着剤供給部２０は、第１水平方向ｘへ移動する移動機構（図示省略）を備えており、接着剤２００が接着剤供給口Ｈ２０から一定の吐出量で吐出した状態で第１水平方向ｘへ移動するように、コントローラ（図示省略）によって各部が制御される。
【００２１】
［Ａ−３］紫外線照射部３０
紫外線照射部３０は、図１、図２、および、図３に示すように、接着剤供給口Ｈ２０から吐出された接着剤２００に紫外線Ｌを照射するために設置されている。ここでは、紫外線照射部３０は、接着剤供給口Ｈ２０から吐出された接着剤２００がパネル１００の面に塗布される前に、載置面Ｓ１０に沿って紫外線Ｌを接着剤２００に照射する。紫外線照射部３０は、たとえば、照射エネルギーが３０００ｍＪ／ｃｍ２になるように紫外線Ｌを照射する。
【００２２】
本実施形態において、紫外線照射部３０は、図３に示すように、紫外線光源３１と紫外線伝送部３２とを有する。紫外線照射部３０において、紫外線光源３１は、たとえば、紫外線ランプ、紫外線レーザを含み、紫外線を発光する。紫外線伝送部３２は、たとえば、光ファイバを含み、紫外線光源３１で生じた紫外線Ｌを伝送するように構成されている。そして、本実施形態では、紫外線伝送部３２によって伝送された紫外線Ｌが載置面Ｓ１０に沿って接着剤２００に照射される。
【００２３】
紫外線照射部３０は、紫外線伝送部３２が第２水平方向ｙへライン状に延在しており、第２水平方向ｙに沿って出射された紫外線Ｌが、第１水平方向ｘに沿って進行するように構成されている。また、図示を省略しているが、紫外線照射部３０は、接着剤供給部２０に固定されており、接着剤供給部２０と共に第１水平方向ｘへ移動するように構成されている。
【００２４】
［Ｂ］接着剤塗布装置の使用方法
上記の接着剤塗布装置を使用してパネル１００の面に紫外線遅延硬化型の接着剤２００を塗布するときの動作に関して、図１と共に、図４および図５を用いて説明する。
【００２５】
接着剤２００の塗布を実行する際には、まず、図１に示すように、載置台１０の載置面Ｓ１０にパネル１００を載せる。たとえば、偏光パネルがパネル１００として載せられる。そして、第１水平方向ｘの一端側において、接着剤供給部２０が接着剤２００の吐出を開始することによって、載置面Ｓ１０に載せられたパネル１００の面に接着剤２００を供給する。このとき、紫外線照射部３０から紫外線Ｌが載置面Ｓ１０に沿って接着剤２００に照射される（図３参照）。
【００２６】
そして、図４に示すように、接着剤２００の吐出および紫外線Ｌの照射が実行された状態で、接着剤供給部２０および紫外線照射部３０が第１水平方向ｘの一端側から他端側へ移動する。これにより、紫外線Ｌが照射された接着剤２００でパネル１００の面が塗布された状態になる。
【００２７】
その後、図５に示すように、パネル１００の面に接着剤２００を介して他のパネル３００の面が対面するように、パネル１００と他のパネル３００とが貼り合わされる。たとえば、偏光パネルであるパネル１００に、液晶表示パネルであるパネル３００が貼り合わされる。接着剤２００は、紫外線遅延硬化型であるため、貼り合わせ後に硬化が進行し、全体が硬化する。
【００２８】
［Ｃ］まとめ（作用・効果など）
以上のように、本実施形態の接着剤塗布装置では、紫外線照射部３０は、接着剤供給口Ｈ２０から吐出された接着剤２００がパネル１００の面に塗布される前に、載置面Ｓ１０に沿って紫外線Ｌを接着剤２００に照射する。このため、本実施形態では、紫外線Ｌを接着剤２００に照射する際に、たとえば、偏光パネルであるパネル１００に紫外線Ｌが照射されにくい。したがって、本実施形態では、パネル１００が紫外線Ｌの照射によって変質することが抑制されるので、パネル１００の変質によって接着剤２００の硬化を阻害する物質が生成されることを防止可能である。
【００２９】
たとえば、パネル１００である偏光パネルに紫外線が照射されたときには、紫外線遅延硬化型の接着剤２００に含まれる触媒に対して触媒毒となる物質が偏光パネルに生成される場合がある。しかし、本実施形態では、パネル１００である偏光パネルに紫外線が照射されることが抑制可能であるので、接着剤２００の硬化が阻害されにくい。
【００３０】
更に、本実施形態では、紫外線照射部３０は、紫外線光源３１で生じた紫外線Ｌを伝送する紫外線伝送部３２を含み、紫外線伝送部３２によって伝送された紫外線Ｌが載置面Ｓ１０に沿って接着剤２００に照射される。このため、本実施形態では、紫外線光源３１で生じた紫外線Ｌが紫外線伝送部３２を介して高効率で接着剤２００に照射されるので、紫外線光源３１で生じた紫外線Ｌがパネル１００に照射されることを、更に効果的に防止可能である。
【００３１】
［Ｄ］変形例
上記実施形態では、載置台１０が静止体であって、接着剤供給部２０および紫外線照射部３０が移動体である場合について説明したが、これに限らない。載置台１０が移動体であって、接着剤供給部２０および紫外線照射部３０が静止体であってもよい。つまり、載置台１０に対して接着剤供給部２０および紫外線照射部３０が相対的に移動するように構成されていればよい。
【００３２】
上記実施形態では、紫外線照射部３０が紫外線光源３１の他に、光ファイバなどの紫外線伝送部３２を備える場合について説明したが、これに限らない。紫外線照射部３０は、光ファイバなどの紫外線伝送部３２を備えていなくてもよい。
【００３３】
上記実施形態では、載置面Ｓ１０に載せられるパネル１００が偏光パネルである場合について説明したが、これに限らない。液晶表示パネル、タッチセンサパネル、保護パネル（前面板）、有機エレクトロルミネッサンス（ＥＬ）パネルなどの他のパネルが被着体であってもよい。偏光パネル以外のパネル１００が紫外線Ｌの照射で変質が生ずる場合であっても、上記の接着剤塗布装置を用いることで、上記した好適な効果を同様に奏することができる。
【００３４】
＜第２実施形態＞
［Ａ］接着剤塗布装置の構成
第２実施形態に係る接着剤塗布装置の構成に関して、図６を用いて説明する。図６では、図３と同様な部分を示している。
【００３５】
図６に示すように、本実施形態においては、紫外線照射部３０を構成する紫外線伝送部３２が第１実施形態の場合（図３参照）と異なっている。この点、および、関連する点を除き、本実施形態は、第１実施形態の場合と同様である。このため、重複する事項に関しては、適宜、説明を省略する。
【００３６】
図６に示すように、紫外線伝送部３２は、第１の紫外線伝送路３２１と第２の紫外線伝送路３２２とを含み、紫外線光源３１で生じた紫外線Ｌが第１の紫外線伝送路３２１を介して第２の紫外線伝送路３２２に伝送されるように構成されている。ここでは、第２の紫外線伝送路３２２は、第１の紫外線伝送路３２１よりも屈折率の値が接着剤２００に近い材料で形成されている。また、紫外線伝送部３２は、第１の紫外線伝送路３２１と第２の紫外線伝送路３２２との間の界面において紫外線Ｌの全反射が生じないように構成されている。
【００３７】
たとえば、第１の紫外線伝送路３２１と第２の紫外線伝送路３２２とのそれぞれは、下記に示す材料の組み合わせで形成されている。
・第１の紫外線伝送路３２１・・・石英ガラス（屈折率ｎ＝１．４１〜１．５６）
・第２の紫外線伝送路３２２・・・光学ガラス（屈折率ｎ＝１．４３〜１．８４）
・接着剤２００・・・シリコーン系の紫外線遅延硬化型接着剤（屈折率ｎ＝１．３５〜１．６５）
【００３８】
［Ｂ］まとめ（作用・効果など）
以上のように、本実施形態の紫外線光源３１では、第２の紫外線伝送路３２２は、第１の紫外線伝送路３２１よりも屈折率の値が接着剤２００に近い。このため、本実施形態では、高い指向性で紫外線Ｌが接着剤２００に照射される。したがって、本実施形態では、パネル１００が紫外線Ｌの照射によって変質することが効果的に抑制されるので、パネル１００の変質によって接着剤２００の硬化を阻害する物質が生成されることを更に防止可能である。
【００３９】
＜第３実施形態＞
［Ａ］接着剤塗布装置の構成
第３実施形態に係る接着剤塗布装置の構成に関して、図７を用いて説明する。図７では、図３と同様な部分を示している。
【００４０】
図７に示すように、本実施形態においては、第１実施形態の場合（図３参照）と異なり、一対の紫外線遮蔽板３３１，３３２を更に備える。この点、および、関連する点を除き、本実施形態は、第１実施形態の場合と同様である。このため、重複する事項に関しては、適宜、説明を省略する。
【００４１】
図７に示すように、一対の紫外線遮蔽板３３１，３３２は、紫外線伝送部３２において載置面Ｓ１０に対して直交する面に設けられている。つまり、一対の紫外線遮蔽板３３１，３３２は、紫外線伝送部３２において鉛直方向ｚに並ぶ上面と下面とのそれぞれに設置されており、紫外線伝送部３２において上面と下面とのそれぞれから放射される紫外線Ｌを遮蔽している。
【００４２】
具体的には、一方の紫外線遮蔽板３３１は、紫外線伝送部３２の下面に設置されている。換言すると、一方の紫外線遮蔽板３３１は、紫外線伝送部３２と載置面Ｓ１０との間に設けられており、紫外線伝送部３２から載置面Ｓ１０へ向かう紫外線Ｌを遮蔽している。これに対して、他方の紫外線遮蔽板３３１は、紫外線伝送部３２の上面に設置されており、紫外線伝送部３２から上方へ向かう紫外線Ｌを遮蔽している。
【００４３】
一対の紫外線遮蔽板３３１，３３２は、たとえば、金属板であって、紫外線Ｌを反射することで紫外線Ｌを遮蔽している。
その他、一対の紫外線遮蔽板３３１，３３２は、たとえば、黒色の板状体であって、紫外線Ｌを吸収することで紫外線Ｌを遮蔽するように構成されていてもよい。
【００４４】
［Ｂ］まとめ（作用・効果など）
以上のように、本実施形態は、紫外線伝送部３２において上面と下面とのそれぞれから放射される紫外線Ｌを紫外線遮蔽板３３１，３３２が遮蔽している。したがって、本実施形態では、パネル１００が紫外線Ｌの照射によって変質することが効果的に抑制されるので、パネル１００の変質によって接着剤２００の硬化を阻害する物質が生成されることを更に防止可能である。
【００４５】
［Ｃ］変形例
上記実施形態では、一対の紫外線遮蔽板３３１，３３２のそれぞれが、紫外線伝送部３２の上面と下面とのそれぞれに設置されている場合について説明したが、これに限らない。紫外線伝送部３２の上面と下面とのいずれか一方に紫外線遮蔽板を設置してもよい。パネル１００に紫外線Ｌが照射されることを防止するために、少なくとも紫外線伝送部３２の下面に紫外線遮蔽板３３１を設置する方が好ましい。
【００４６】
＜第４実施形態＞
［Ａ］接着剤塗布装置の構成
第４実施形態に係る接着剤塗布装置の構成に関して、図８を用いて説明する。図８では、接着剤供給部２０の断面を拡大して示している。
【００４７】
図８に示すように、本実施形態においては、第１実施形態の場合（図３参照）と異なり、紫外線吸収層２０１が形成されている。この点、および、関連する点を除き、本実施形態は、第１実施形態の場合と同様である。このため、重複する事項に関しては、適宜、説明を省略する。
【００４８】
紫外線吸収層２０１は、接着剤供給部２０の内面に形成されている。紫外線吸収層２０１は、たとえば、黒色の層であって、紫外線Ｌを吸収するように構成されている。
【００４９】
［Ｂ］まとめ（作用・効果など）
以上のように、本実施形態は、接着剤供給部２０の内面に紫外線吸収層２０１が形成されているので、紫外線照射部３０（図３参照）が照射した紫外線Ｌが接着剤供給部２０の内部に入った場合であっても紫外線Ｌが紫外線吸収層２０１で吸収される。その結果、本実施形態では、接着剤供給部２０の内部において接着剤２００の硬化が生ずることを防止可能である。
【００５０】
＜第５実施形態＞
［Ａ］接着剤塗布装置の構成
第５実施形態に係る接着剤塗布装置の構成に関して、図９を用いて説明する。図９では、図１と同様な部分を示している。
【００５１】
図９に示すように、本実施形態においては、接着剤供給部２０に接着剤２００を送る接着剤配管２１の形状が第１実施形態の場合（図１参照）と異なっている。この点、および、関連する点を除き、本実施形態は、第１実施形態の場合と同様である。このため、重複する事項に関しては、適宜、説明を省略する。
【００５２】
本実施形態では、接着剤配管２１は、載置面Ｓ１０に沿って延在する部分を含む。ここでは、接着剤配管２１は、第１の接着剤配管部２１１と第２の接着剤配管部２１２とを含む。第１の接着剤配管部２１１は、載置面Ｓ１０に沿った第１水平方向ｘに延在している。第２の接着剤配管部２１２は、載置面Ｓ１０に直交する鉛直方向ｚに延在しており、上端側が第１の接着剤配管部２１１に連結され、下端側が接着剤供給部２０に連結されている。接着剤配管２１は、接着剤２００が第１の接着剤配管部２１１と第２の接着剤配管部２１２とを順次流れて接着剤供給部２０に供給するように構成されている。
【００５３】
［Ｂ］まとめ（作用・効果など）
以上のように、本実施形態において、接着剤配管２１は、載置面Ｓ１０に沿って延在する部分を含む。載置面Ｓ１０に沿った方向は、紫外線Ｌが接着剤２００に照射される方向と同様である。このため、接着剤配管２１において載置面Ｓ１０に沿って延在する部分には、紫外線Ｌが入りにくいので、接着剤配管２１において接着剤２００の硬化が生ずることを効果的に抑制可能である。
【符号の説明】
【００５４】
１０…載置台、２０…接着剤供給部、２１…接着剤配管、３０…紫外線照射部、３１…紫外線光源、３２…紫外線伝送部、１００…パネル（被着体）、２００…接着剤、２０１…紫外線吸収層、２１１…第１の接着剤配管部、２１２…第２の接着剤配管部、３００…パネル、３２１…第１の紫外線伝送路３２１、３２２…第２の紫外線伝送路３２２、３３１…紫外線遮蔽板、３３１，３３２…紫外線遮蔽板、Ｈ２０…接着剤供給口、Ｓ１０…載置面
【図１】
2020081907.tif 000003
【図２】
2020081907.tif 000004
【図３】
2020081907.tif 000005
【図４】
2020081907.tif 000006
【図５】
2020081907.tif 000007
【図６】
2020081907.tif 000008
【図７】
2020081907.tif 000009
【図８】
2020081907.tif 000010
【図９】
2020081907.tif 000011